(57)【特許請求の範囲】
【請求項１】
無線加入者に無線通信サービスを提供する無線ネットワークと有線加入者に有線通信サービスを提供する有線ネットワークとの間を接続する無線データサービス装置の機能試験用回線呼発生器であって、
前記回線呼発生器は、前記無線データサービス装置と接続され、無線データサービス装置との通信時にスイッチングを実行する中継線インタフェース部と、この中継線インタフェース部を介して無線データサービス装置に接続され、発信呼接続試験と着信呼接続試験とデータ伝送試験と呼解除試験とにおける発信者と着信者との役割である無線加入者及び有線加入者の役割をエミュレーションする回線データ処理部と、中継線インタフェース部及び回線データ処理部の間の制御信号伝達用の制御バスと、中継線インタフェース部及び回線データ処理部の間のデータ伝達用のデータバスと、回線データ処理部のエミュレーション動作を制御する制御部と、を備えたことを特徴とする回線呼発生器。
【請求項２】
回線データ処理部は、それぞれ一つの有線加入者の役割をエミュレーションする１以上の有線加入者部と、それぞれ一つの無線加入者の役割をエミュレーションする１以上の無線加入者部と、を含む請求項１記載の回線呼発生器。
【請求項３】
回線データ処理部及び中継線インタフェース部は、それぞれデータバスに通話チャンネルを設定するためのスイッチを含む請求項１又は請求項２記載の回線呼発生器。
【請求項４】
制御部は、前記回線データ処理部に対し、予め貯蔵してある呼発生シナリオに従って無線データサービス装置に、無線加入者の発信呼を発生し、そして、呼発生の結果を統計的に出力する請求項１記載の回線呼発生器。
【請求項５】
無線加入者に無線通信サービスを提供する無線ネットワークと有線加入者に有線通信サービスを提供する有線ネットワークとの間を接続する無線データサービス装置と、この無線データサービス装置の機能を試験するために無線加入者及び有線加入者の役割をエミュレーションする回線呼発生器と、を利用した無線データサービス装置の機能試験方法であって、
回線呼発生器の発信加入者部が無線データサービス装置に発信呼の接続を要求する段階と、無線データサービス装置が発信呼のための経路を接続する段階と、無線データサービス装置が発信加入者部に発信呼のための経路が接続されたことを知らせる段階と、発信加入者部が発信呼のための経路を接続する段階と、発信加入者部がオペレータに発信呼が接続されたことを報告する段階と、発信加入者部及び無線データサービス装置が接続された経路を発信加入者経路として設定する段階と、回線呼発生器がオペレータに発信加入者経路の設定が完了したことを報告する段階と、を実行する機能試験方法。
【請求項６】
発信加入者部が発信呼の接続を要求する段階は、無線データサービスを要求するサービスオプション及び発信加入者の電話番号の情報を含む請求項５記載の機能試験方法。
【請求項７】
発信加入者部が発信呼接続を報告する段階で、回線呼発生器が、発信加入者の発信呼接続結果を当該発信加入者の電話番号とともに画面に出力する請求項５又は請求項６記載の機能試験方法。
【請求項８】
回線呼発生器が発信加入者経路設定の完了を報告する段階で、回線呼発生器が、発信加入者の経路設定結果を当該発信加入者の電話番号とともに画面に出力する請求項５〜請求項７のいずれか１項に記載の機能試験方法。
【請求項９】
無線加入者に無線通信サービスを提供する無線ネットワークと有線加入者に有線通信サービスを提供する有線ネットワークとの間を接続する無線データサービス装置と、この無線データサービス装置の機能を試験するために無線加入者及び有線加入者の役割をエミュレーションする回線呼発生器と、を利用した無線データサービス装置の機能試験方法であって、
回線呼発生器の発信加入者部が接続済の発信加入者経路を通して無線データサービス装置に、回線呼発生器の着信加入者部の着信番号を伝達する段階と、無線データサービス装置が着信加入者部に着信呼の接続を要求する段階と、着信加入者部がオペレータに着信呼の接続が要求されたことを報告する段階と、着信加入者部が着信呼のための経路を接続する段階と、着信加入者部が無線データサービス装置に着信呼のための経路が接続されたことを知らせる段階と、無線データサービス装置が着信呼のための経路を接続する段階と、無線データサービス装置及び着信加入者部が接続された経路を着信加入者経路として設定する段階と、発信加入者部及び無線データサービス装置が接続された経路を発信加入者経路として設定する段階と、着信加入者部がオペレータに着信加入者経路が設定されたことを報告する段階と、無線データサービス装置が発信加入者経路を通して発信加入者部に着信呼が形成されたことを知らせる段階と、発信加入者部がオペレータに発信加入者部及び着信加入者部の連結が完了したことを報告する段階と、を実行する機能試験方法。
【請求項１０】
無線データサービス装置及び着信加入者部が着信加入者経路を設定する段階は、着信加入者部と無線データサービス装置との間でモデム交渉を実行し、有線加入者経路を設定する請求項９記載の機能試験方法。
【請求項１１】
無線加入者に無線通信サービスを提供する無線ネットワークと有線加入者に有線通信サービスを提供する有線ネットワークとの間を接続する無線データサービス装置と、この無線データサービス装置の機能を試験するために無線加入者及び有線加入者の役割をエミュレーションする回線呼発生器と、を利用した無線データサービス装置の機能試験方法であって、
回線呼発生器の発信加入者部が、発信加入者部と無線データサービス装置とを接続する発信加入者経路を通して無線データサービス装置に所定の文字列を伝達する段階と、無線データサービス装置が、伝達された文字列を、回線呼発生器の着信加入者部と無線データサービス装置とを接続する着信加入者経路を通して着信加入者部に伝達する段階と、着信加入者部が、伝達された文字列をオペレータに報告する段階と、着信加入者部が、着信加入者経路を通して無線データサービス装置に所定の文字列を伝達する段階と、無線データサービス装置が、伝達された文字列を、発信加入者経路を通して発信加入者部に伝達する段階と、発信加入者部が、伝達された文字列をオペレータに報告する段階と、を実行する機能試験方法。
【請求項１２】
無線加入者に無線通信サービスを提供する無線ネットワークと有線加入者に有線通信サービスを提供する有線ネットワークとの間を接続する無線データサービス装置と、この無線データサービス装置の機能を試験するために無線加入者及び有線加入者の役割をエミュレーションする回線呼発生器と、を利用した無線データサービス装置の機能試験方法であって、
回線呼発生器の第１加入者部が無線データサービス装置を通して回線呼発生器の第２加入者部との間でデータを送受信する段階と、第１加入者部が無線データサービス装置に呼解除を要求する段階と、無線データサービス装置が第１加入者部に受取確認を送る段階と、受取確認を受けた第１加入者部がオペレータに第１加入者部の呼が解除されることを知らせ、第１加入者部と無線データサービス装置とを接続している第１加入者経路を解除する段階と、呼解除の要求を受けた無線データサービス装置が第１加入者部と第２加入者部とを接続している経路を解除する段階と、経路解除を行った無線データサービス装置が第２加入者部に第１加入者部と第２加入者部とを接続する経路が解除されたことを知らせる段階と、第２加入者部がオペレータに第２加入者部の呼が解除されたことを知らせ、第２加入者部と無線データサービス装置とを接続している第２加入者経路を解除する段階と、第２加入者部が無線データサービス装置に第２加入者経路が解除されたことを報告する段階と、を実行する機能試験方法。
【発明の詳細な説明】
【０００１】
【発明の属する技術分野】
本発明は無線データサービス装置の機能試験のための回線呼発生器及び機能試験方法に関し、特に、移動加入者に無線データサービスを提供する無線データサービス装置（Ｉｎｔｅｒ  Ｗｏｒｋｉｎｇ  Ｆｕｎｃｔｉｏｎ  ｓｙｓｔｅｍ：ＩＷＦ）のデータトラフィック（ｄａｔａ  ｔｒａｆｆｉｃ）処理機能及び呼処理機能を試験するための回線呼発生器及びその試験方法に関する。
【０００２】
【従来の技術】
図１は、符号分割多元接続（Ｃｏｄｅ  Ｄｉｖｉｓｉｏｎ  Ｍｕｌｔｉｐｌｅ  Ａｃｃｅｓｓ：ＣＤＭＡ）技術を使用するシステムで、移動加入者に無線データサービスを提供するためのネットワーク構成図である。図示のように、移動加入者は、パソコン（Ｐｅｒｓｏｎａｌ  Ｃｏｍｐｕｔｅｒ：ＰＣ）やノートブック（Ｎｏｔｅ−ｂｏｏｋ）などの端末機（Ｔｅｒｍｉｎａｌ  Ｅｎｄ：ＴＥ）１１０を移動電話機（Ｍｏｂｉｌｅ  Ｔｅｌｅｐｈｏｎｅ：ＭＴ）１２０に接続し、ファックス（Ｆａｘ）、インターネット（Ｉｎｔｅｒｎｅｔ）などの無線データサービスを受ける。
【０００３】
無線加入者（端末機、移動電話機）が無線データサービス装置を通してランド（Ｌａｎｄ）（つまり有線ネットワーク）のパソコンやモデムと接続する手順は次のようになる。
【０００４】
無線加入者１１０，１２０からエアインターフェース（Ａｉｒ  Ｉｎｔｅｒｆａｃｅ）を通して基地局／基地局制御器（Ｂａｓｅ  Ｔｒａｎｓｃｅｉｖｅｒ  Ｓｔａｔｉｏｎ／Ｂａｓｅ  Ｓｔａｔｉｏｎ  Ｃｏｎｔｒｏｌｌｅｒ：ＢＴＳ／ＢＳＣ）１３０に発信が要求されると、基地局／基地局制御器１３０はＡ・インターフェースを通して移動交換局（Ｍｏｂｉｌｅ  Ｓｗｉｔｃｈｉｎｇ  Ｃｅｎｔｅｒ：ＭＳＣ）１４０に呼設定を要求する。移動交換局は呼要求メッセージに含まれたサービスオプションを分析して、サービスオプションが無線データサービスを要求するものであれば、無線データサービス装置（ＩＷＦ）１５０に呼設定を要求する。無線データサービス装置１５０はＬ・インターフェースを使用して移動交換局１４０に接続される。
【０００５】
無線データサービス装置１５０は無線加入者１１０，１２０とデータを送受信するための通話路を閉成した後、無線加入者から着信要求命令を受信する。すると、無線データサービス装置は移動交換局１４０側に呼接続を要求する。移動交換局は、無線データサービス装置の要求に従って、有線ネットワーク１６０である公衆交換電話ネットワーク（Ｐｕｂｌｉｃ  Ｓｗｉｔｃｈｅｄ  Ｔｅｌｅｐｈｏｎｅ  Ｎｅｔｗｏｒｋ：ＰＳＴＮ）の有線加入者、たとえばモデム１７０又はファックス１９０に呼接続要求命令を送る。有線加入者が呼接続を許容すると、無線データサービス装置は、無線加入者と有線加入者との間においてプロトコル変換によるデータ中継機能を修行する。
【０００６】
【発明が解決しようとする課題】
上記のように動作する無線データサービス装置は、無線ネットワーク１０（基地局、基地局制御器、移動交換局）及び有線ネットワーク（公衆交換電話ネットワークのモデム、パソコン、ファックス）と接続してはじめて動作する。すなわち、メーカーで無線データサービス装置を開発してその動作を試験する場合、開発した無線データサービス装置を無線ネットワークにつなぎ、その無線加入者に無線データサービスを提供したうえでなければ試験を行えない。さらに、試験に際し無線加入者は、有線ネットワークの有線加入者（モデムやファックス）と接続する必要があり、無線データサービス装置の試験は、無線ネットワークと有線ネットワークとの接続を必須としている。
【０００７】
このように、無線データサービス装置のデータトラフィック処理機能及び呼処理機能を試験するためには、多大な経費や人手を要するという問題がる。
【０００８】
本発明は上記課題を解決するものであり、無線ネットワークや有線ネットワークへ接続しなくとも無線データサービス装置のデータトラフィック処理機能及び呼処理機能を試験できるような無線データサービス装置の機能試験用回線呼発生器及び機能試験方法を提供することが目的である。
【０００９】
また、本発明は、無線データサービス装置のデータトラフィック処理機能及び呼処理機能を試験するために必要な環境をシミュレーションできるような無線データサービス装置の機能試験用回線呼発生器及び機能試験方法を提供することも目的にする。
【００１０】
【課題を解決するための手段】
上記のような目的を達成するために、本発明では、無線加入者に無線通信サービスを提供する無線ネットワークと有線加入者に有線通信サービスを提供する有線ネットワークとの間を接続する無線データサービス装置の機能試験用回線呼発生器として、無線データサービス装置との通信時にスイッチングを実行する中継線インタフェース部と、この中継線インタフェース部を介して無線データサービス装置に接続され、無線加入者又は有線加入者の役割をエミュレーションする回線データ処理部と、中継線インタフェース部及び回線データ処理部の間の制御信号伝達用の制御バスと、中継線インタフェース部及び回線データ処理部の間のデータ伝達用のデータバスと、回線データ処理部のエミュレーション動作を制御する制御部と、を備えることを特徴とした回線呼発生器を提供する。
【００１１】
回線データ処理部は、それぞれ一つの有線加入者の役割をエミュレーションする１以上の有線加入者部と、それぞれ一つの無線加入者の役割をエミュレーションする１以上の無線加入者部と、を含むものとすることができる。また、回線データ処理部及び中継線インタフェース部は、それぞれデータバスに通話チャンネルを設定するためのスイッチを含む構成とすることができる。制御部は、予め貯蔵してある呼発生シナリオに従って無線データサービス装置に呼を発生し、そして、呼発生の結果を統計的（呼発生頻度平均と分散及び標準偏差）に出力するものとしておくとよい。
【００１２】
本発明ではまた、無線加入者に無線通信サービスを提供する無線ネットワークと有線加入者に有線通信サービスを提供する有線ネットワークとの間を接続する無線データサービス装置と、この無線データサービス装置の機能を試験するために無線加入者及び有線加入者の役割をエミュレーションする回線呼発生器と、を利用した無線データサービス装置の機能試験方法として、回線呼発生器の発信加入者部が無線データサービス装置に発信呼の接続を要求する段階と、無線データサービス装置が発信呼のための経路を接続する段階と、無線データサービス装置が発信加入者部に発信呼のための経路が接続されたことを知らせる段階と、発信加入者部が発信呼のための経路を接続する段階と、発信加入者部がオペレータに発信呼が接続されたことを報告する段階と、発信加入者部及び無線データサービス装置が接続された経路を発信加入者経路として設定する段階と、回線呼発生器がオペレータに発信加入者経路の設定が完了したことを報告する段階と、を実行する機能試験方法を提供する。
【００１３】
この場合、発信加入者部が発信呼の接続を要求する段階は、無線データサービスを要求するサービスオプション及び発信者ＩＤの情報を含むものとすることができる。また、発信加入者部が発信呼接続を報告する段階では、回線呼発生器が、発信加入者の発信呼接続結果を当該発信加入者の電話番号とともに画面に出力するものとすることができる。さらに、回線呼発生器が発信加入者経路設定の完了を報告する段階では、回線呼発生器が、発信加入者の経路設定結果を当該発信加入者の電話番号とともに画面に出力するものとすることができる。
【００１４】
さらに本発明では、無線加入者に無線通信サービスを提供する無線ネットワークと有線加入者に有線通信サービスを提供する有線ネットワークとの間を接続する無線データサービス装置と、この無線データサービス装置の機能を試験するために無線加入者及び有線加入者の役割をエミュレーションする回線呼発生器と、を利用した無線データサービス装置の機能試験方法として、回線呼発生器の発信加入者部が接続済の発信加入者経路を通して無線データサービス装置に、回線呼発生器の着信加入者部の着信番号を伝達する段階と、無線データサービス装置が着信加入者部に着信呼の接続を要求する段階と、着信加入者部がオペレータに着信呼の接続が要求されたことを報告する段階と、着信加入者部が着信呼のための経路を接続する段階と、着信加入者部が無線データサービス装置に着信呼のための経路が接続されたことを知らせる段階と、無線データサービス装置が着信呼のための経路を接続する段階と、無線データサービス装置及び着信加入者部が接続された経路を着信加入者経路として設定する段階と、発信加入者部及び無線データサービス装置が接続された経路を発信加入者経路として設定する段階と、着信加入者部がオペレータに着信加入者経路が設定されたことを報告する段階と、無線データサービス装置が発信加入者経路を通して発信加入者に着信呼が形成されたことを知らせる段階と、発信加入者部がオペレータに発信加入者部及び着信加入者部の連結が完了したことを報告する段階と、を実行する機能試験方法を提供する。
【００１５】
その無線データサービス装置及び着信加入者部が着信加入者経路を設定する段階は、着信加入者部と無線データサービス装置との間でモデム交渉を修行し、有線加入者経路を設定するものとすることができる。
【００１６】
加えて本発明では、無線加入者に無線通信サービスを提供する無線ネットワークと有線加入者に有線通信サービスを提供する有線ネットワークとの間を接続する無線データサービス装置と、この無線データサービス装置の機能を試験するために無線加入者及び有線加入者の役割をエミュレーションする回線呼発生器と、を利用した無線データサービス装置の機能試験方法として、回線呼発生器の発信加入者部が、発信加入者部と無線データサービス装置とを接続する発信加入者経路を通して無線データサービス装置に所定の文字列を伝達する段階と、無線データサービス装置が、伝達された文字列を、回線呼発生器の着信加入者部と無線データサービス装置とを接続する着信加入者経路を通して着信加入者部に伝達する段階と、着信加入者部が、伝達された文字列をオペレータに報告する段階と、着信加入者部が、着信加入者経路を通して無線データサービス装置に所定の文字列を伝達する段階と、無線データサービス装置が、伝達された文字列を、発信加入者経路を通して発信加入者部に伝達する段階と、発信加入者部が、伝達された文字列をオペレータに報告する段階と、を実行する機能試験方法を提供する。
【００１７】
さらにまた本発明では、無線加入者に無線通信サービスを提供する無線ネットワークと有線加入者に有線通信サービスを提供する有線ネットワークとの間を接続する無線データサービス装置と、この無線データサービス装置の機能を試験するために無線加入者及び有線加入者の役割をエミュレーションする回線呼発生器と、を利用した無線データサービス装置の機能試験方法として、回線呼発生器の第１加入者部が無線データサービス装置を通して回線呼発生器の第２加入者部との間でデータを送受信する段階と、第１加入者部が無線データサービス装置に呼解除を要求する段階と、無線データサービス装置が第１加入者部に受取確認を送る段階と、受取確認を受けた第１加入者部がオペレータに第１加入者部の呼が解除されることを知らせ、第１加入者部と無線データサービス装置とを接続している第１加入者経路を解除する段階と、呼解除の要求を受けた無線データサービス装置が第１加入者部と第２加入者部とを接続している経路を解除する段階と、経路解除を行った無線データサービス装置が第２加入者部に第１加入者部と第２加入者部とを接続する経路が解除されたことを知らせる段階と、第２加入者部がオペレータに第２加入者部の呼が解除されたことを知らせ、第２加入者部と無線データサービス装置とを接続している第２加入者経路を解除する段階と、第２加入者部が無線データサービス装置に第２加入者経路が解除されたことを報告する段階と、を実行する機能試験方法を提供する。
【００１８】
本発明による回線呼発生器は、無線データサービス装置とインタフェースし、有線ネットワークの有線加入者（モデムやファックスなど）又は無線ネットワークの無線加入者（端末機や移動電話機など）として動作することができる。したがって回線呼発生器は、デジタルセルラーサービス（Ｄｉｇｉｔａｌ  Ｃｅｌｌｕｌａｒ  Ｓｅｒｖｉｃｅ：ＤＣＳ）や個人携帯通信サービス（Ｐｅｒｓｏｎａｌ  Ｃｏｍｍｕｎｉｃａｔｉｏｎ  Ｓｅｒｖｉｃｅ：ＰＣＳ）システムを構成するネットワークの諸要素（端末機、移動電話機、基地局／基地局制御器、移動交換局、モデム、パソコン、ファックスなど）を要することなく、無線データサービス装置に呼とデータトラフィックを発生させられる。
【００１９】
また、本発明による回線呼発生器は、ＴＩＡ／ＥＩＡＩＳ−９９に定義されたＰＰＰ／ＩＰ／ＴＣＰプロトコルを利用する移動加入者と無線データサービス装置との間、Ｖ．２２、Ｖ．２２ｂｉｓ、Ｖ．３２、Ｖ．４２、Ｖ．４２ｂｉｓ、Ｖ．２９、Ｔ．３０などのプロトコルを利用する無線データサービス装置とモデム（又はファックス）との間の通信をシミュレーションすることができる。
【００２０】
【発明の実施の形態】
図２は、本発明による回線呼発生器の構成図である。図示のように本例の回線呼発生器２００は、無線データサービス装置１５０と中継線２を介しインタフェースしてシステム信号処理７（Ｓｙｓｔｅｍ  Ｓｉｇｎａｌｉｎｇ  Ｎｏ．７）による通信及び通話でスイッチングを実行する中継線インタフェース部（ＴＲｕｎｋ  Ｉｎｔｅｒｆａｃｅ  ｂｏａｒｄ  Ａｓｓｅｍｂｌｙ：ＴＲＩＡ）２５０と、中継線インタフェース部を通して無線データサービス装置と接続され、有線加入者又は無線加入者の役割をエミュレーションする回線データ処理部（Ｃｉｒｃｕｉｔ  Ｄａｔａ  Ｐｒｏｃｅｓｓｉｎｇ  ｂｏａｒｄ  Ａｓｓｅｍｂｌｙ：ＣＤＰＡ）２２０と、中継線インタフェース部と回線データ処理部との間で制御信号を伝達するＶＭＥバス２１０と、中継線インタフェース部と回線データ処理部との間でデータを伝達する時分割多重化（Ｔｉｍｅ  Ｄｉｖｉｓｉｏｎ  Ｍｕｌｔｉｐｌｅ：ＴＤＭ）バス（ＴＤＭ  ｂｕｓ）２６０と、シリアルポート（ＲＳ２３２Ｃ）を通して回線データ処理部と接続され、回線呼発生器の動作を制御する制御部２７０と、から構成される。制御部２７０は、画面を通してオペレータに試験結果を報告する。
【００２１】
中継線インタフェース部２５０は、Ｅ１中継線２を通して無線データサービス装置１５０のネットワークインタフェース部１５２へ接続される。この中継線インタフェース部は多数のスイッチから構成され、回線呼発生器２００と無線データサービス装置１５０との間の経路を形成する。
【００２２】
本発明による回線呼発生器２００は、多数の回線データ処理部２２０を実装する。好適には最大８枚まで実装可能である。回線データ処理部２２０は、無線加入者の役割をエミュレーションする無線加入者部２３０と、有線加入者の役割をエミュレーションする有線加入者部２４０と、を備えている。各回線データ処理部２２０がそれぞれ多数の無線加入者部２３０及び有線加入者部２４０を実装可能で、好適には最大８枚まで実装することができる。したがって、本発明による回線呼発生器２００は、最大６４の無線加入者と最大６４の有線加入者による動作をエミュレーションできる。この機能は無線データサービス装置１５０の負荷及び容量を試験するために重要である。
【００２３】
制御部２７０は、回線データ処理部２２０を通して呼発生／中止の制御、呼発生量の調節、データトラフィックの調節などの機能を修行する。
【００２４】
上記のように構成された回線呼発生器２００は、無線データサービス装置１５０と連動して、呼及びデータトラフィックを発生し、呼を解除する手順を実行する。本例によれば無線データサービス装置で提供可能な全ての機能を試験できるが、本欄では無線加入者発信呼接続過程、有線加入者着信呼接続過程、データ伝送過程及び無線加入者呼解除過程を例として説明する。ただし、本発明がこれらの過程だけに限定されないことは明白である。制御部２７０は多様な呼処理シナリオを貯蔵しており、貯蔵されたシナリオに従って多様な機能試験を実行することができる。
【００２５】
以下、本発明による無線データサービス装置機能試験方法について詳細に説明する。
【００２６】
図３を参照して本発明による回線呼発生器の無線加入者発信呼接続試験過程を説明する。
【００２７】
段階Ｓ１０２で、制御部２７０は、シリアル回線１を通して回線データ処理部２３０の無線加入者部２３０に、無線加入者発信呼による呼接続要求を命令する（ＣＡＬＬ  ＣＯＮＮＥＣＴＩＯＮ  ＲＥＱＵＥＳＴ  ＯＲＤＥＲ）。この呼接続要求命令は、無線データサービスを要求するサービスオプションと発信者ＩＤなどの情報を含む。
【００２８】
呼接続要求命令の伝達を受けた無線加入者部２３０（発信加入者部）は、段階Ｓ１０４で、中継線インタフェース部２５０にＣＧＯｕｔＣａｌｌＲｅｑメッセージを送る。そして段階Ｓ１０６で中継線インタフェース部２５０は、無線データサービス装置１５０のネットワークインタフェース部１５２に、無線加入者による発信呼接続のためのＩＡＭ（Ｉｎｉｔｉａｌ  Ａｄｄｒｅｓｓ  Ｍｅｓｓａｇｅ）を送る。ＩＡＭはＳＳ７に従う発信要求メッセージで、呼の経路接続のための発／着信番号と中継線チャンネル番号などを含む。また、段階Ｓ１０６で中継線インタフェース部２５０がネットワークインタフェース部１５２に送るＩＡＭは、発信類型が無線加入者によることを知らせる情報を含む。この段階Ｓ１０６の後には段階Ｓ１０８で、ネットワークインタフェース部１５２がＩＡＭに対する受取確認（Ａｃｋｎｏｗｌｅｄｇｅ）であるＡＣＭ（Ａｄｄｒｅｓｓ  Ｃｏｍｐｌｅｔｅ  Ｍｅｓｓａｇｅ）を中継線インタフェース部２５０に返す。
【００２９】
段階Ｓ１１０，Ｓ１１２，Ｓ１１４，Ｓ１１６で、無線データサービス装置１５０は無線加入者による発信呼を処理し、発信呼のための経路を閉結する。この無線データサービス装置内部の呼処理過程については、本発明の要旨を外れる内容のため詳細な説明を省略する。発信経路接続が完了すると、段階Ｓ１１８で無線データサービス装置１５０のネットワークインタフェース部１５２は、中継線インタフェース部２５０に発信呼の経路接続についての応答であるＡＮＭ（ＡＮｓｗｅｒ  Ｍｅｓｓａｇｅ）を送る。
【００３０】
ＡＮＭを受信した中継線インタフェース部２５０は、時分割多重化バス２６０にチャンネルを割り当ててタイムスイッチを接続し、段階Ｓ１２０で回線データ処理部２２０の無線加入者部２３０にＣＧＯｕｔＣａｌｌＡｎｓメッセージを送る。このＣＧＯｕｔＣａｌｌＡｎｓは、中継線インタフェース部２５０によって割り当てられた時分割多重化チャンネルについての情報を含む。これに従い無線加入者部２３０は、段階Ｓ１２２で制御部２７０に無線加入者発信呼が接続されたことを報告し（ＲＥＰＯＲＴ  ＣＯＮＮＥＣＴＩＯＮ  ＲＥＳＵＬＴ  ＯＦ  ＷＩＲＥＬＥＳＳ  ＳＵＢＳＣＲＩＢＥＲ  ＯＲＩＧＩＮＡＴＩＮＧ  ＣＡＬＬ）、ＣＧＯｕｔＣａｌｌＡｎｓによって指定された時分割多重化チャンネルにタイムスイッチを接続する。
【００３１】
報告を受けた制御部２７０は、無線加入者発信呼接続結果を無線加入者の電話番号といっしょに画面に出力する。そして、無線加入者部２３０が段階Ｓ１２４で、段階Ｓ１０４〜Ｓ１２０で形成された経路を通し、無線データサービス装置のデータ処理部１５６との無線加入者経路を設定する（ＥＳＴＡＢＬＩＳＨＭＥＮＴ  ＯＦ  ＷＩＲＥＬＥＳＳ  ＳＵＢＳＣＲＩＢＥＲ  ＰＡＴＨ）。
【００３２】
段階Ｓ１２６でデータ処理部１５６は、無線データサービス装置のメイン制御部１５４に無線加入者との経路設定が完了したことを知らせるＭＰＳｅｔｕｐＲｅｑメッセージを送る。また、段階Ｓ１２４で無線加入者経路が設定されると、段階Ｓ１２８で無線加入者部２３０は、制御部２７０に無線加入者の経路設定が完了したことを報告する（ＣＯＭＰＬＥＴＩＯＮ  ＯＦ  ＥＳＴＡＢＬＩＳＨＭＥＮＴ  ＷＩＲＥＬＥＳＳ  ＳＵＢＳＣＲＩＢＥＲ  ＰＡＴＨ）。制御部２７０は、無線加入者経路設定の結果を無線加入者の電話番号とともに画面に出力する。
【００３３】
以上のようにして、発信呼を要求した無線加入者（実際には回線呼発生器の無線加入者部２３０）と経路を設定した無線データサービス装置１５０は、発信要求メッセージに含まれた着信番号を分析して着信地を検索する。回線呼発生器２００が無線加入者の発信機能と有線加入者の着信機能の両方を処理するために、制御部２７０は、発信番号を回線データ処理部の無線加入者部２３０の番号に設定し、着信番号を有線加入者部２４０の番号に設定する。したがって無線データサービス装置１５０は、回線呼発生器の回線データ処理部２２０（有線加入者部２４０）に着信を要求する。
【００３４】
図４を参照して、本発明による有線加入者の着信呼接続試験過程につき説明する。
【００３５】
段階Ｓ２０２で、回線データ処理部の無線加入者部２３０は、図３の段階Ｓ１２４で設定された無線加入者経路を通して無線データサービス装置のデータ処理部１５６に、有線加入者の着信番号（“０２４０５１００Ｘ”）を伝達する。データ処理部１５６は着信番号に該当する着信地を把握し、段階Ｓ２０４，Ｓ２０６で着信呼による接続を要求する。このデータ処理部１５６からメイン制御部１５４を通して着信呼接続要求を受けたネットワークインタフェース部１５２は、段階Ｓ２０８で、回線呼発生器の中継線インタフェース部２５０に有線加入者の着信呼接続のためのＩＡＭを送る。
【００３６】
ＩＡＭを受けた中継線インタフェース部２５０は、時分割多重化バス５６０に有線加入者の経路として使うチャンネルを割り当て、段階Ｓ２１０で回線データ処理部の有線加入者部２４０（着信加入者部）に着信呼接続を要求するＣＧＩｎＣａｌｌＲｅｑメッセージを送る。このＣＧＩｎＣａｌｌＲｅｑメッセージは中継線インタフェース部２５０によって割り当てられた時分割多重化チャンネル情報を含む。それから中継線インタフェース部２５０は、段階Ｓ２１２で、着信呼接続が進行中であることを知らせるＡＣＭをネットワークインタフェース部１５２に送る。ＡＣＭは、着信類型が有線加入者によることを知らせる情報を含む。
【００３７】
有線加入者部２４０は段階Ｓ２１４で、着信呼接続が要求されたことを制御部２７０に報告し（ＲＥＰＯＲＴ  ＴＨＥ  ＲＥＣＥＩＶＥ  ＯＦ  ＴＥＲＭＩＮＡＴＩＮＧ  ＣＡＬＬ  ＯＦ  ＷＩＲＥＤ  ＳＵＢＳＣＲＩＢＥＲ）、ＣＧＩｎＣａｌｌＲｅｑにより指定された時分割多重化チャンネルにタイムスイッチを接続する。制御部２７０は、着信呼接続が要求された有線加入者番号を画面に出力する。続いて有線加入者部２４０は段階Ｓ２１６で、着信呼接続に対する応答であるＣＧＩｎＣａｌｌＡｎｓメッセージを中継線インタフェース部２５０に送る。中継線インタフェース部２５０は、段階Ｓ２１０で割り当てられた時分割多重化チャンネルにタイムスイッチを接続し、段階Ｓ２１８で、ネットワークインタフェース部１５２に着信呼の経路接続が完了したことを知らせるＡＮＭを送る。
【００３８】
段階Ｓ２２０，Ｓ２２２で無線データサービス装置１５０は、着信呼のための経路を閉結する。無線データサービス装置１５０と回線呼発生器２００との経路接続が完了すると、段階Ｓ２２４で、有線加入者部２４０のモデムとデータ処理部１５６のモデムとの間でモデム交渉（Ｎｅｇｏｔｉａｔｉｏｎ）が行われる。この段階で有線加入者経路（ＷＩＲＥＤ  ＳＵＢＳＣＲＩＢＥＲ  ＰＡＴＨ）が設定される。モデム交渉が完了すると、データ処理部１５６は段階Ｓ２２６で、メイン制御部１５４にモデム接続が完了したことを知らせるＭｏｄｅｍＣｏｎｎＲｅｐメッセージを送る。同時に有線加入者部２４０は段階Ｓ２２８で、制御部２７０に着信モデムが接続されたことを報告する（ＲＥＰＯＲＴ  ＴＨＥ  ＣＯＮＮＥＣＴＩＯＮ  ＯＦ  ＴＥＲＭＩＮＡＴＩＮＧ  ＭＯＤＥＭ）。制御部２７０は、着信モデム接続結果を有線加入者の電話番号とともに画面に出力する。
【００３９】
段階Ｓ２３０でデータ処理部１５６は、段階Ｓ１２４により設定された無線加入者経路を通して無線加入者部２３０に着信呼接続結果を報告する。そして段階Ｓ２３２で無線加入者部２３０は、発信モデムが接続されたことを制御部２７０に報告する（ＲＥＰＯＲＴ  ＴＨＥ  ＣＯＮＮＥＣＴＩＯＮ  ＯＦ  ＯＲＩＧＩＮＡＴＩＮＧ  ＭＯＤＥＭ）。制御部２７０は、発信モデム接続結果を無線加入者の電話番号とともに画面に出力する。
【００４０】
以上の過程を通して無線加入者経路と有線加入者経路が接続されると、回線呼発生器２００と無線データサービス装置１５０はデータを伝送する。
【００４１】
図５を参照して本発明による回線呼発生器のデータ伝送試験過程につき説明する。
【００４２】
段階Ｓ３０２で、制御部２７０は、回線データ処理部２２０の無線加入者部２３０に無線加入者によるデータ伝送を命令する（ＷＩＲＥＬＥＳＳ  ＳＵＢＳＣＲＩＢＥＲ  ＤＡＴＡ  ＴＲＡＮＳＦＥＲ  ＯＲＤＥＲ）。これによりたとえば、文字列“ＸＸＸＸ”の伝送が命令される。
【００４３】
段階Ｓ３０４で無線加入者部２３０は、段階Ｓ１２４で設定された無線加入者経路を通して無線データサービス装置１５０のデータ処理部１５６に“ＸＸＸＸ”を伝送する。すると、段階Ｓ３０６でデータ処理部１５６は、段階Ｓ２２４で設定された有線加入者経路を通して回線データ処理部の有線加入者部２４０に文字列“ＸＸＸＸ”をそのまま返す。そして段階Ｓ３０８で、有線加入者部２４０が、受信された“ＸＸＸＸ”を制御部２７０に報告する（ＷＩＲＥＤ  ＳＵＢＳＣＲＩＢＥＲ  ＲＥＣＥＩＶＥＤ  ＤＡＴＡ  ＲＥＰＯＲＴ）。制御部２７０は、受信された文字列を有線加入者の電話番号とともに画面に出力する。オペレータは、伝送した文字と受信した文字とを比較して、二つの経路と無線データサービス装置の状態を把握することができる。
【００４４】
また、段階Ｓ３１０で制御部２７０は、回線データ処理部２２０の有線加入者部２４０に有線加入者によるデータ伝送を命令する（ＷＩＲＥＤ  ＳＵＢＳＣＲＩＢＥＲ  ＤＡＴＡ  ＴＲＡＮＳＦＥＲ  ＯＲＤＥＲ）。これによりたとえば、文字列“ＡＡＡＡ”の伝送が命令される。段階Ｓ３１２で有線加入者部２４０は、段階Ｓ２２４で設定された有線加入者経路を通して無線データサービス装置１５０のデータ処理部１５６に“ＡＡＡＡ”を伝送する。すると、段階Ｓ３１４でデータ処理部１５６は、段階Ｓ１２４で設定された無線加入者経路を通して回線データ処理部の無線加入者部２３０に文字列“ＡＡＡＡ”をそのまま返す。そして段階Ｓ３１６で、無線加入者部２３０が、受信された“ＡＡＡＡ”を制御部２７０に報告する（ＷＩＲＥＬＥＳＳ  ＳＵＢＳＣＲＩＢＥＲ  ＲＥＣＥＩＶＥＤ  ＤＡＴＡ  ＲＥＰＯＲＴ）。制御部２７０は、受信された文字列を無線加入者の電話番号とともに画面に出力する。オペレータは、伝送した文字と受信した文字とを比較して、二つの経路と無線データサービス装置の状態を把握することができる。
【００４５】
データ伝送が終了すると回線呼発生器２００は、無線データサービス装置１５０に呼解除を要求する。本欄では無線加入者側からの呼解除試験過程を例として説明する。なお、有線加入者側からの呼解除試験過程も同様にして実行される。
【００４６】
図６を参照して本発明による回線呼発生器の無線加入者呼解除試験過程につき説明する。
【００４７】
段階Ｓ４０２で、制御部２７０は、回線データ処理部２２０の無線加入者部２３０に呼解除を命令する（ＷＩＲＥＬＥＳＳ  ＳＵＢＳＣＲＩＢＥＲ  ＣＡＬＬ  ＲＥＬＥＡＳＥ  ＯＲＤＥＲ）。無線加入者部２３０は段階Ｓ４０４で、中継線インタフェース部２５０に呼解除を要求するＣＧＣａｌｌＲｅｌＲｅｑメッセージを送る。段階Ｓ４０６で中継線インタフェース部２５０は、無線データサービス装置１５０のネットワークインタフェース部１５２に呼解除を要求するＲＥＬを送る。ＲＥＬを受信したネットワークインタフェース部１５２は、段階Ｓ４０８で中継線インタフェース部２５０にＲＬＣを送る。
【００４８】
ネットワークインタフェース部１５２からＲＬＣを受けた中継線インタフェース部２５０は、段階Ｓ４１４で、段階Ｓ１２４で設定された無線加入者経路を通して回線データ処理部の無線加入者部２３０に経路の解除を知らせるＣＧＣａｌｌＲｅｌＡｎｓを送り、無線加入者経路のためのタイムスイッチ接続を解除する。無線加入者部２３０は段階Ｓ４１６で、制御部２７０に無線加入者の呼が解除されたことを報告する（ＷＩＲＥＬＥＳＳ  ＳＵＢＳＣＲＩＢＥＲ  ＣＡＬＬ  ＲＥＬＥＡＳＥ  ＲＥＳＰＯＮＳＥ）。制御部２７０は、無線加入者の呼解除結果を無線加入者の電話番号とともに画面に出力する。報告を終えた無線加入者部２３０は、無線加入者経路のためのタイムスイッチ接続を解除する。
【００４９】
中継線インタフェース部２５０にＲＬＣを送ったネットワークインタフェース部１５２は、段階Ｓ４１０，Ｓ４１２で無線データサービス装置１５０の内部に設定された経路を解除する。経路解除が終了すると、段階Ｓ４１８でネットワークインタフェース部１５２は、着信地、つまり回線呼発生器の中継線インタフェース部２５０に呼解除を要求するＲＥＬを送る。段階Ｓ４２０で中継線インタフェース部２５０は、段階Ｓ２２４で設定された有線加入者経路を通して回線データ処理部の有線加入者部２４０に経路の解除を要求するＣＧＣａｌｌＲｅｌＲｅｑを送る。有線加入者部２４０は段階Ｓ４２２で、制御部２７０に有線加入者の呼が解除されたことを報告する（ＷＩＲＥＤ  ＳＵＢＳＣＲＩＢＥＲ  ＣＡＬＬ  ＲＥＬＥＡＳＥ  ＲＥＰＯＲＴ）。制御部２７０は、有線加入者の呼解除結果を有線加入者の電話番号とともに画面に出力する。
【００５０】
有線加入者部２４０は段階Ｓ４２４で、中継線インタフェース部２５０に呼解除の完了を知らせるＣＧＣａｌｌＲｅｌＡｎｓメッセージを送り、有線加入者経路のためのタイムスイッチ接続を解除する。そして段階４２６で中継線インタフェース部２５０は、ネットワークインタフェース部１５２に呼解除の完了を知らせるＲＬＣを送り、有線加入者経路のためのタイムスイッチ接続を解除する。
【００５１】
【発明の効果】
以上のような本発明における代表的な効果は、次のようなものである。
【００５２】
デジタルセルラーサービス（ＤＣＳ）システムや個人携帯通信サービス（ＰＣＳ）システムで無線加入者に回線データサービスを提供する無線データサービス装置について、無線ネットワークと有線ネットワークに実際に接続しなくても動作試験を行えるようになる。また、本発明による回線呼発生器は、無線データサービス装置のデータトラフィック処理機能と呼処理機能を試験することができ、また、多数の有線加入者と無線加入者による呼処理を実行することによって、無線データサービス装置の容量試験も遂行可能である。したがって、無線データサービス装置の試験にかかる手間及びコストを削減することができるようになる。
【図面の簡単な説明】
【図１】移動加入者に無線データサービスを提供するＣＤＭＡシステムのネットワーク構成図。
【図２】本発明による回線呼発生器の一例を示したブロック図。
【図３】本発明による無線加入者発信呼接続試験過程を示すメッセージフローチャート。
【図４】本発明による有線加入者着信呼接続試験過程を示すメッセージフローチャート。
【図５】本発明によるデータ伝送試験過程を示すメッセージフローチャート。
【図６】本発明による無線加入者呼解除試験過程を示すメッセージフローチャート。
【符号の説明】
１１０  端末機
１２０  移動電話機
１３０  基地局／基地局制御器
１４０  移動交換局
１５０  無線データサービス装置
１５２  ネットワークインタフェース部
１５４  メイン制御部
１５６  データ処理部
１６０  有線ネットワーク
１７０  モデム
１８０  パソコン
１９０  ファックス装置
２００  回線呼発生器
２１０  ＶＭＥバス
２２０  回線データ処理部
２３０  無線加入者部
２４０  有線加入者部
２５０  中継線インタフェース部
２６０  時分割多重化バス（ＴＤＭバス）
２７０  制御部
【図１】
0003614321.tif 000002
【図２】
0003614321.tif 000003
【図３】
0003614321.tif 000004
【図４】
0003614321.tif 000005
【図５】
0003614321.tif 000006
【図６】
0003614321.tif 000007